(57)【要約】【課題】高信頼性のコンピュータシステムの構成作成を支援できるようにする。【解決手段】高信頼性のコンピュータシステムに必要なコンピュータハードウエアの概略構成を定義した画面と、前記特定用途のコンピュータシステムに必要なコンピュータハードウエアの構成を定義した画面から呼び出されるコンピュータ装置の構成入力画面と、前期コンピュータ装置の構成入力画面から呼びだされるコンピュータ装置間の接続パターン選択画面とを、ネットワークに接続した端末に表示し、前記コンピュータ装置の構成入力画面と前記コンピュータ装置間の接続パターン選択画面で入力された情報から、構成品情報を出力し、ネットワークに接続した端末に表示する手段を有する。【効果】高信頼性のコンピュータシステムに対するハードウエア要件の知識がない者であっても、容易に高信頼性システムの構成が可能となる。【選択図】　図１
2004139368.tif 000002
【特許請求の範囲】
【請求項１】
ネットワークを利用し、複数のコンピュータ装置からなるコンピュータシステムの構成作成を支援するコンピュータシステム構成作成支援システムであって、
コンピュータシステム構成作成支援装置と、
構成情報データベースとを備え、
前記コンピュータシステム構成作成支援装置は、
前記ネットワークを介して、前記コンピュータシステム構成作成支援装置へ接続された利用者の端末機器の表示部に、
前記複数のコンピュータ装置間の接続パターンを表示させ、
前記利用者が選択した前記複数のコンピュータ装置間の接続パターンに従って、前記構成情報データベースを参照し、
前記複数のコンピュータ装置間の接続用ハードウェアを前記利用者の端末機器の表示部に表示させることを特徴とするコンピュータシステム構成作成支援システム。
【請求項２】
構成情報データベースと、
コンピュータシステム構成作成支援装置と、
を利用して、複数のコンピュータ装置からなるコンピュータシステムの構成作成をネットワークを利用して支援するコンピュータシステム構成作成支援方法であって、
前記ネットワークを介して、前記コンピュータシステム構成作成支援装置へ接続された利用者の端末機器の表示部に、
前記複数のコンピュータ装置間の接続パターンを表示させる第１のステップと、前記利用者が選択した前記複数のコンピュータ装置間の接続パターンに従って、前記構成情報データベースを参照する第２のステップと、
前記複数のコンピュータ装置間の接続用ハードウェアを前記利用者の端末機器の表示部に表示させる第３のステップと、を有することを特徴とするコンピュータシステム構成作成支援方法。
【発明の詳細な説明】
【０００１】
【発明の属する技術分野】本発明は、ネットワークを利用して、コンピュータシステムの構成作成を支援するシステムに関する。
【０００２】
【従来の技術】近年、コンピュータ装置のオープン化に伴い、エンドユーザが、オペレーティングシステム／プロセッサ種別／メモリ／ＰＣＩカードなどの、コンピュータ装置の構成を選択することが可能となっている。また、インターネットの普及に伴い、インターネットに接続した端末から、オペレーティングシステム／プロセッサ種別／メモリ／Ｉ／Ｏカードなどのコンピュータ装置の構成を選択し、発注することも可能となっている。例えば、特開平２００１−３３１５０５号公報に開示されている技術がある。
【０００３】
【特許文献１】
特開平２００１−３３１５０５号公報
【０００４】
【発明が解決しようとする課題】
しかしながら、上記従来技術は、コンピュータ装置単体の構成作成を支援する技術であり、複数のコンピュータ装置の接続関係を考慮し、複数のコンピュータ装置からなるコンピュータシステム、例えば２重化コンピュータシステム（高信頼性システム）のようなシステムの構成作成を支援することができない。
【０００５】
さらに、２重化コンピュータシステムの構成作成には、２重化コンピュータシステムのハードウエア要件の知識を有する必要がある。ハードウエア要件の知識を有しない者は、システムの構成を作成することが困難である。
【０００６】
【課題を解決するための手段】
本発明は、コンピュータシステム構成作成支援装置と構成情報データベースを備えるコンピュータシステム構成作成支援システムを提供する。コンピュータ構成作成支援装置は、ネットワークに接続された利用者の端末機器の表示部に、コンピュータ装置間の接続パターンを表示させ、利用者に選択された接続パターンに従って、構成情報データベースを参照し、コンピュータ装置間の接続用ハードウェアを設定し、利用者の端末機器の表示部に表示させる。
【０００７】
【発明の実施の形態】
以下、図１から図１９を用いて、本発明の実施の形態を説明する
図１は、本発明の一実施の形態にかかるシステムの構成図である。
【０００８】
利用者の端末機器１は、インターネットやイントラネットなどのネットワーク２に接続可能である。また、利用者の端末機器１は、ＨＴＭＬやＸＭＬなどで記述されたウェブページを閲覧するためのウェブブラウザが起動可能な端末機器である。
【０００９】
なお、図１では、利用者の端末機器１が１つしか示されていないが、複数存在してもよい。
【００１０】
コンピュータシステム構成作成支援装置５は、ネットワーク２に接続され、コンピュータシステム構成作成支援サービスを特定のウェブページにて提供するサーバやホストコンピュータである。
【００１１】
構成情報データベース４は、コンピュータシステム構成作成支援装置５が提供するコンピュータシステム構成作成支援サービスに供する種々の情報を格納する。例えば、本実施の形態では、構成製品情報４ａ、構成制約情報４ｂ、構成接続情報４ｃが格納されている。
【００１２】
構成製品情報４ａは、各コンピュータ装置を搭載する種々のデバイス（ＣＰＵ，ＨＤＤ、メモリ等）やＰＣＩカード等の品名、仕様、価額等の情報を格納するデータベースである。
【００１３】
構成制約情報４ｂは、上記種々のデバイスやＰＣＩカードの搭載制限情報や各コンピュータ装置のラック搭載制限情報を格納するデータベースである。
【００１４】
構成接続情報４ｃは、各コンピュータ装置間のトポロジーに必要なケーブルやＰＣＩカード等の情報を格納する記憶部である。
【００１５】
構成情報管理システム３は、構成情報データベース４に格納される種々情報の追加や変更を行なう。
【００１６】
発注システム６は、コンピュータシステム構成作成支援装置５で作成されたコンピュータシステムの構成情報を受信し、生産システム７に送信する。
【００１７】
生産システム７は、発注システム６から受信したコンピュータシステム構成情報に基づいて、コンピュータシステムを生産する。
【００１８】
次に、本実施の形態の動作遷移フローを説明する。
【００１９】
図２は、コンピュータシステムの構成作成支援サービスを提供するウェブページの遷移フローを示すブロック図である。
【００２０】
ここで、図示しないが、利用者はコンピュータシステムの構成作成支援サービスを提供するウェブページにアクセスし、利用者ＩＤとパスワードの認証画面を経てから、図３に示す構成定義画面１０が利用者の端末機器１の表示部に表示される。構成定義画面１０の構成は図３を用いて、後述する。
【００２１】
利用者は、構成定義画面１０にて、単一コンピュータシステム、または２重化コンピュータシステムの員数を指定する。
【００２２】
本実施の形態において、単一コンピュータシステムとは、１つのシステム装置を有し、一つのディスク装置、バックアップ装置または必要に応じて、複数のディスク装置やバックアップ装置など複数のコンピュータ装置を備えるコンピュータシステムである。
【００２３】
また、２重化コンピュータシステムとは、２つ以上のシステム装置を有し、必要に応じて、複数のディスク装置やバックアップ装置や排他制御装置など複数のコンピュータ装置を備えるコンピュータシステムである。
【００２４】
本実施の形態では、システム装置とは、ネットワークに接続されている端末やネットワーク機器のことをいい、コンピュータ装置をいう。
【００２５】
バックアップ装置とは、ＤＬＴライブラリ、ＬＴＯライブラリ、ＤＶＤライブラリ、光ディスクなどをいい、本実施の形態では、コンピュータ装置をいう。
【００２６】
ディスク装置とは、ディスクアレイなどの記憶装置をいい、本実施の形態では、コンピュータ装置をいう。
【００２７】
排他制御装置とは、ディスク装置の一種であり、排他制御フラグを管理する装置である。本実施の形態では、コンピュータ装置をいう。
【００２８】
図２を用いて、単一コンピュータシステムの設定の遷移フローを説明する。
【００２９】
利用者は、単一コンピュータシステムの設定１１では、システム装置の設定１２、バックアップ装置の設定１３、ディスク装置の設定１４の順に、単一コンピュータシステムの設定を行なう。利用者は、構成定義にて設定された員数に従って、設定を繰り返す。
【００３０】
まず、利用者は、システム装置の設定１２では、システム装置の選択１２ａ、システム装置の構成選択１２ｂの順に、システム装置の設定を行なう。
【００３１】
つぎに、利用者は、バックアップ装置の設定で１３では、バックアップ装置の選択１３ａ、バックアップ装置の構成選択１３ｂ、システム装置−バックアップ装置間接続パターン選択１３ｃの順に、バックアップ装置の設定を行なう。
【００３２】
つぎに、利用者は、ディスク装置の設定で１４は、ディスク装置の選択１４ａ、ディスク装置の構成選択１４ｂ、システム装置−ディスク装置間接続パターン選択１４ｃの順に、ディスク制御装置の設定を行なう。
【００３３】
図２を用いて、２重化コンピュータシステムの設定の遷移フローを説明する。
【００３４】
利用者は、２重化コンピュータシステムの設定２０では、システム装置の設定２１、バックアップ装置の設定２２、排他制御装置の設定２４、ディスク装置の設定２４の順に、２重化コンピュータシステムの設定を行なう。
【００３５】
まず、利用者は、システム装置の設定２１では、システム装置の選択２１ａ、システム装置の構成選択２１ｂの順に、システム装置の設定を行なう。
【００３６】
つぎに、利用者は、バックアップ装置の設定で２２では、バックアップ装置の選択２２ａ、バックアップ装置の構成２２ｂ、システム装置−バックアップ装置間接続パターン選択２２ｃの順に、バックアップ装置の設定を行なう。
【００３７】
つぎに、利用者は、排他制御装置の設定２３では、排他制御装置の選択２３ａ、排他制御装置の構成２３ｂ、システム装置−排他制御装置間接続パターン選択２３ｃの順に、排他制御装置の設定を行なう。
【００３８】
つぎに、利用者は、ディスク装置の設定で２４は、ディスク装置の選択２４ａ、ディスク装置の構成２４ｂ、システム装置−ディスク装置間接続パターン選択２４ｃの順に、ディスク装置の設定を行なう。
【００３９】
なお、２重化コンピュータシステムの設定であることから、２つのシステム装置の設定が必要である。したがって、システム装置の設定２１では、利用者が設定を２回繰り返す。また、バックアップ装置の設定２２は、必要な員数に応じて、利用者が設定を繰り返す。
【００４０】
以下、各画面の遷移フローを説明する。
【００４１】
利用者は、端末機器１を用いて、コンピュータシステム構成作成支援装置３にアクセスする。図示しないが、利用者がコンピュータシステム構成作成支援装置５にアクセスをすると、コンピュータシステム構成作成支援装置５は、本実施の形態のコンピュータ構成作成支援システム（以下、本システムをいう。）の構成作成支援サービスの利用が許可された者であるか否かを確認する。そのため、コンピュータ構成作成支援装置５は、ユーザＩＤとパスワードを求める認証ページを利用者の端末機器１の表示部に表示させる。利用者は、正しい利用者ＩＤとパスワードを入力すると、コンピュータシステム構成作成支援装置５により承認される。そして、コンピュータ構成作成支援装置５は、図３に示す構成定義画面１０が利用者の端末機器１の表示部に表示させる。
【００４２】
ここで、図３に示す「構成定義画面」を本システムの構成作成支援サービスに供する初期画面とする。
【００４３】
以下、単一コンピュータシステムの構成作成支援を行なう処理フローを説明する
まず、利用者が図３に示す初期画面上で、「単一コンピュータシステム追加」のボタン３５をクリックすると、コンピュータ構成作成支援装置５は、利用者の端末機器１の表示部に図４に示す単一コンピュータシステム構成定義画面を表示させる。
【００４４】
システム装置の定義に伴う画面の遷移を説明する。
【００４５】
上述のように、図４が示す「単一コンピュータシステム構成定義画面」が利用者の端末機器１の表示部に表示される。利用者は、システム装置４１を画面上でクリックすると、コンピュータ構成作成支援装置５は、図５に示す「システム装置選択画面」を表示させる。
【００４６】
利用者は、上記「システム装置選択画面」上で、適切なシステム装置をチェックボックス５１−５３で選択し、「次へ」のボタン５４をクリックすると、コンピュータ構成作成支援装置５は、図６に示す「システム装置構成入力画面」を表示させる。
【００４７】
利用者は、上記「システム装置構成入力画面」上で、リストボックス６１−６４で、ＣＰＵの種類６１、メモリサイズ６２、ハードディスク容量６３、ＰＣＩカード６４を選択し、同画面上の「戻る」のボタン６５をクリックすると、図４に示す「単一コンピュータシステム構成定義画面」に戻る。すなわち、コンピュータ構成作成支援装置５は、図４に示す「単一コンピュータシステム構成定義画面」を利用者の端末機器１の表示部に再び表示させる。
【００４８】
バックアップ装置の定義に伴う画面の遷移を説明する。
【００４９】
上述のように、図４に示す「単一コンピュータシステム構成定義画面」に再び戻った状態で、利用者は、バックアップ装置４２の画面をクリックすると、コンピュータ構成作成支援装置５は、図７に示す、「バックアップ装置選択画面」を利用者の端末機器１の表示部に表示させる。
【００５０】
利用者は、上記「バックアップ装置選択画面」上で、チェックボックス７１−７３で、バックアップ装置の種類を選択し、「次へ」のボタン７４をクリックすると、コンピュータ構成作成支援装置５は、上記選択されたバックアップ装置にしたがって、図８に示す「バックアップ装置構成入力画面」を利用者の端末機器の表示部に表示される。
【００５１】
利用者は、上記「バックアップ装置構成入力画面」上のチェックボックス８１−８２で、装置のタイプを、チェックボックス８３−８５で、ドライブ数などを選択し、画面上の「次へ」のボタン８６をクリックすると、コンピュータ構成作成支援装置５は、図９に示す「システム装置−バックアップ装置接続パターン選択画面」を利用者の端末機器１の表示部に表示させる。
【００５２】
利用者は、上記「システム装置−バックアップ装置接続パターン選択画面」上のチェックボックス９１−９３で、適切な接続パターンを選択し、「戻る」ボタン９４をクリックすると、図４に示す「単一コンピュータシステム構成定義画面」に戻る。すなわち、コンピュータ構成作成支援装置５は、図４に示す「単一コンピュータシステム構成定義画面」が再び利用者の端末機器１の表示部に表示させる。
【００５３】
ディスク装置の定義を伴う画面の遷移を説明する。
【００５４】
上述のように、図４に示す「単一コンピュータシステム構成定義画面」に再び戻った状態で、利用者は、ディスク装置４３をクリックすると、コンピュータ構成作成支援装置５は、図１０に示す、「ディスク装置構成入力画面」を利用者の端末機器１の表示部に表示させる。
【００５５】
利用者は、上記「ディスク装置構成入力画面」上のリストボックス１０１−１０４で、筐体の種類、コントローラの数、コントローラＩ／Ｆ、ハードディスク容量を選択し、「次へ」のボタン（１０５）をクリックすると、コンピュータ構成作成支援装置５は、図１１に示す「システム装置−ディスク装置間接続パターン選択画面」を利用者の端末機器１の表示部に表示させる。
【００５６】
利用者は、上記「システム装置−ディスク装置間接続パターン選択画面」上のチェックボックス１１１−１１４で、システム装置とディスク装置間の接続パターンを選択し、「戻る」のボタン１１５をクリックすると、図４に示す「単一コンピュータシステム構成定義画面」に戻る。すなわち、コンピュータ構成作成支援装置５は、図４に示す「単一コンピュータシステム構成定義画面」を再び利用者の端末機器１の表示部に表示させる。
【００５７】
このように、利用者、単一コンピュータシステム構成の定義を完成し、上記図４に示す「単一コンピュータシステム構成定義画面」上で、「戻る」のボタンをクリックすると、図３に示す構成定義画面に戻る。すなわち、コンピュータ構成作成支援装置５はは、図３に示す本システムの構成作成支援サービスに供する初期画面を利用者の端末機器１の表示部に再び表示させる。
【００５８】
以下、２重化コンピュータシステムの構成作成支援を行なう処理フローを説明する。
【００５９】
まず、利用者が図３に示す初期画面上で、「２重化コンピュータシステム追加」のボタン３６をクリックすると、コンピュータ構成作成支援装置５は、図１２に示す「２重化コンピュータシステム構成定義画面」を利用者の端末機器１の表示部に表示させる。
【００６０】
システム装置の定義に伴う画面の遷移を説明する。
【００６１】
まず、第１のシステム装置１２１の定義に伴う画面の遷移を説明する。
【００６２】
上述のように、図１２に示す「２重化コンピュータシステム構成定義画面」が利用者の端末機器１の表示部に表示される。利用者は、第１のシステム装置１２１を画面上でクリックすると、コンピュータ構成作成支援装置５は、図６に示す「システム装置選択画面」を利用者の端末機器１の表示部に表示させる。
【００６３】
利用者は、上記「システム装置選択画面」上で、適切なシステム装置をチェックボックス５１−５３で選択し、「次へ」のボタン５４をクリックすると、コンピュータ構成作成支援装置５は、図６に示す「システム装置入力画面」を利用者の端末機器１の表示部に表示させる。
【００６４】
利用者は、「上記システム装置入力画面上」で、リストボックス６１−６４で、ＣＰＵの種類、メモリサイズ、ハードディスク容量、ＰＣＩカードを選択し、同画面上の「戻る」のボタン６５をクリックし、図１２に示す「２重化コンピュータシステム構成定義画面」に戻る。すなわち、コンピュータ構成作成支援装置５は、図１２に示す「２重化コンピュータシステム構成定義画面」を利用者の端末機器１の表示部に再び表示させる。
【００６５】
つぎに、第２のシステム装置の定義に伴う画面の遷移を説明する。
【００６６】
第２のシステム装置１２２の構成定義を行なう手順は、上述した第１のシステム装置１２１と同様の手順で行なわれる。したがって、第２のシステム装置１２２の定義に伴う画面の遷移は、上述した第１のシステム装置１２１の定義に伴う画面の遷移と同様である。
【００６７】
バックアップ装置の定義に伴う画面の遷移を説明する。
【００６８】
まず、第１のバックアップ装置１２４の定義に伴う画面の遷移を説明する。
【００６９】
上述したように、利用者は、第１のシステム装置１２１と第２のシステム装置１２２の構成定義を完了した後、図１２に示す「２重化コンピュータシステム構成定義画面」が利用者の端末機器１の表示部に再び表示される。ここで、利用者は、第１のバックアップ装置１２４の画面をクリックすると、コンピュータ構成作成支援装置５は、図７に示す「バックアップ装置選択画面」を利用者の端末機器１の表示部に表示させる。
【００７０】
利用者は、上記「バックアップ装置選択画面」上で、リストボックス７１−７３で、バックアップ装置の種類を選択し、「次へ」のボタン７４をクリックすると、コンピュータ構成作成支援装置５は、選択されたバックアップ装置に従って、図８に示す「バックアップ装置構成入力画面」を利用者の端末機器１の表示部に表示させる。
【００７１】
利用者は、上記「バックアップ装置構成入力画面」上のチェックボックス（８１−８２）で、装置のタイプを、チェックボックス８３−８５で、ドライブ数などを選択し、画面上の「次へ」のボタン８６をクリックすると、コンピュータ構成作成支援装置５は、図９に示す「システム装置−バックアップ装置接続パターン選択画面」を利用者の端末機器１の表示部に表示させる。
【００７２】
利用者は、上記「システム装置−バックアップ装置接続パターン選択画面」上のチェックボックス９１−９３で、適切な接続パターンを選択し、「戻る」のボタン９４をクリックすると、図１２に示す「２重化コンピュータシステム構成定義画面」に戻る。すなわち、コンピュータ構成作成支援装置５は、図１２に示す「２重化コンピュータシステム構成定義画面」を利用者の端末機器の表示部に再び表示させる。
【００７３】
つぎに、第２のバックアップ装置１２６の定義に伴う画面の遷移を説明する。
【００７４】
第２のバックアップ装置１２６の構成定義を行なう手順は、上述した第１のバックアップ装置１２４と同様の手順で行なわれる。したがって、第２のバックアップ装置１２６の定義に伴う画面の遷移は、上述した第１のバックアップ装置１２４の定義に伴う画面の遷移と同様である。
【００７５】
なお、第２のバックアップ装置１２６は、必要性に応じて、定義される必要がない場合もある。
【００７６】
排他制御装置の定義に伴う画面の遷移を説明する。
【００７７】
利用者は、上述したように、第１のバックアップ装置１２４と第２のバックアップ装置１２６の構成定義を完了した後、図１２に示す「２重化コンピュータシステム構成定義画面」が利用者の端末機器１の表示部に再び表示される。ここで、利用者は、図１２に示す排他制御装置１２３をクリックすると、コンピュータ構成作成支援装置５は、図１３に示す「システム装置−排他制御装置間接続パターン入力画面」を利用者の端末機器１の表示部に表示させる。
【００７８】
利用者は、上記「システム装置−排他制御装置間接続パターン入力画面」上のチェックボックス１３１−１３２で、システム装置と排他制御装置間の接続パターンを選択し、「戻る」のボタン１３３をクリックすると、コンピュータ構成作成支援装置５は、図１２に示す「二重化コンピュータシステム構成定義画面」を利用者の端末機器１の表示部に表示させる。
【００７９】
ディスク装置の定義に伴う画面の遷移を説明する。
【００８０】
上述のように、図１２に示す「二重化コンピュータシステム構成定義画面」に戻った状態で、利用者は、ディスク装置１２５をクリックすると、コンピュータ構成作成支援装置５は、図１０に示す「ディスク装置構成入力画面」を利用者の端末機器１の表示部に表示させる。
【００８１】
利用者は、上記「ディスク装置構成入力画面」上のリストボックス１０１−１０４で、筐体の種類、コントローラの数、コントローラＩ／Ｆ、ハードディスク容量を選択し、「次へ」のボタン１０５をクリックすると、コンピュータ構成作成支援装置５は、図１４に示す「システム装置−ディスク装置間接続パターン入力画面」を利用者の端末機器１の表示部に表示させる。
【００８２】
利用者は、上記「システム装置−ディスク装置間接続パターン入力画面」上のチェックボックス１４１−１４６で、システム装置とディスク装置間の接続パターンを選択し、「戻る」のボタン１４７をクリックすると、コンピュータ構成作成支援装置５は、図１２に示す「２重化コンピュータシステム構成定義画面」を利用者の端末機器１の表示部に表示させる。すなわち、図１２に示す「２重化コンピュータシステム構成定義画面」が利用者の端末機器１の表示部に再び表示される。
【００８３】
このように、利用者は、２重化コンピュータシステム構成の定義を完了し、上記図１２に示す「２重化コンピュータシステム構成定義画面」上で、「戻る」のボタン１２７をクリックすると、コンピュータ構成作成支援装置５は、図３に示す「構成定義画面」を利用者の端末機器１の表示部に表示させる。すなわち、本システムの構成作成支援サービスに供する初期画面が利用者の端末１の表示部に再び表示される。
【００８４】
以下、ラック搭載の設定を説明する。
【００８５】
上述したように、利用者は、単一コンピュータシステムまたは２重化コンピュータシステムの構成定義を完了した後、初期画面である図３に示す「構成定義画面」が表示される。
【００８６】
利用者は、構成定義画面上の「ラック搭載」のボタン３２をクリックすると、コンピュータシステム構成作成支援装置５は、既に選択された複数のコンピュータ装置をラックに搭載する手段により、ラックに自動搭載する。そして、コンピュータ構成作成支援装置５は、利用者の端末機器１の表示部に、図１５に示す「ラック搭載画面」を表示させる。図１５に示すラック搭載画面は、２重化コンピュータシステムが１つのシステムの場合である。
【００８７】
利用者は、端末機器１の表示部に表示されている上記「ラック搭載画面」上で、マウスを用いて、各コンピュータ装置をドラッグし、ドロップすることができる。このように、利用者は、各コンピュータ装置の搭載位置を変更することができる。この場合、構成作成支援装置５は、構成情報データベース４に格納される構成制約情報４ｂを参照し、ラック搭載に関する搭載制限情報を参照し、搭載制限に違反する場合は、エラーメッセージを利用者の端末機器１の表示部に表示し、コンピュータ装置の搭載位置の変更を禁止する。
【００８８】
以下、図１７を用いて、２重化コンピュータシステムのコンピュータ装置間の接続用ハードウェア設定フローを説明する。
【００８９】
利用者は、各コンピュータ装置の搭載位置を決定し、かつ搭載制限に違反しない場合は、図１５に示す画面上の「ケーブリング接続」のボタン３３をクリックすると、コンピュータシステム構成作成支援装置５は、図１０で選択されたディスク装置の構成情報と、図９で選択されたシステム装置−バックアップ装置間接続パターンと、図１４で選択されたシステム装置−ディスク装置間接続パターンと、図１３で選択されたシステム装置−排他制御装置間接続パターンとに従って、構成情報データベース４のうち、構成商品情報４ａと構成接続情報４ｃを参照し、コンピュータ装置間の接続用ハードウェアを選択する。例えば、コンピュータ装置間を接続するために、適切なＩ／Ｏカードと適切なインターフェスのケーブルなどを選択する。
【００９０】
そして、コンピュータシステム構成作成支援装置５は、上述したラック搭載の結果を用いて、コンピュータ装置間の距離を計算する。コンピュータシステム構成作成支援装置５は、上記計算されたコンピュータ装置間の距離と上記選択されたコンピュータ装置間の接続用ハードウェアとを照合し、上記選択されたハードウェアの中から、上記コンピュータ装置間の距離に適切なハードウェアを選択し、決定する。例えば、上記計算されたコンピュータ装置間の距離に適切なインターフェスのケーブルなどを選択し、決定する。
【００９１】
コンピュータシステム構成作成支援装置５は、上記適切なハードウェアを決定してから、図１６に示す「ケーブル接続一覧」を利用者の端末機器１の表示部に表示させる。
【００９２】
なお、図１０に示すディスク装置構成情報、図９に示すシステム装置−バックアップ装置間接続パターン、図１４に示すシステム−ディスク装置間接続パターン、図１３に示すシステム装置−排他制御装置間接続パターンは、既に述べたように、利用者によって選択されたものである。
【００９３】
また、図１８は、単一コンピュータシステムのコンピュータ装置間のハードウェア設定フローを示している。
【００９４】
システム装置−排他制御装置間接続パターンが選択されないため、コンピュータシステム構成作成支援装置５は、システム装置−排他制御装置間接続パターンに従う動作をしない。その他の動作は、上述した２重化コンピュータシステムのコンピュータ装置間の接続用ハードウェア設定フローと同様の動作を行ない、単一コンピュータシステムのコンピュータ装置間の接続用ハードウェア設定を行なう。
【００９５】
なお、図１６に示すケーブル接続一覧は、図１３に示すシステム装置−排他制御装置接続パターン選択画面中のチェックボックス１３１と、図１４に示す、システム装置−ディスク装置間接続パターン選択画面中のチェックボックス１４２を選択した場合の例示である。
【００９６】
以下、図１９を用いて、構成一覧画面を説明する。
【００９７】
利用者は、図１６に示すケーブリング接続画面上の「構成一覧」のボタン３４をクリックすると、コンピュータシステム構成作成支援装置５は、図１７に示された「構成一覧画面」を利用者の端末機器の表示部に表示する。
【００９８】
例えば、利用者が選択したコンピュータ装置の型名１６１、発注システム上で定義されている品名１６２、希望小売価格１６５などが表示される。
【００９９】
このように、本実施の形態では、利用者は、高信頼性のハードウェア要件の知識がなくても、各コンピュータ装置間の接続パターンの設定を行なうことができる。それによって、本システムの構成作成支援装置５は、利用者より設定されたコンピュータ装置間の接続パターンにしたがって、必要とするインターフェスのケーブルやＰＣＩカードなどのハードウェアを自動的に設定し、表示することができる。それによって、高信頼性のハードウェア要件の知識がなくても、本システムを利用することより、高信頼性システムであるコンピュータシステムを構成作成することができる。
【０１００】
なお、本実施の形態では、高信頼化のための単一コンピュータシステムおよび２重化コンピュータシステムの例を示したが、システム装置が３つ以上を有するコンピュータシステムの構成作成支援システムの適用も可能である。例えば、図１２に示す画面を変更し、必要なコンピュータ装置を定義し、各コンピュータ装置の構成入力画面、コンピュータ装置間の接続パターンを選択する画面を表示し、コンピュータ装置間の接続は、構成情報データベース４に定義された構成接続パターン情報に従って、コンピュータ装置間の接続を行なう手段を設ければ、同様に構築可能である。
【０１０１】
【発明の効果】
本発明によれば、高信頼性のコンピュータシステムに対するハードウエア要件の知識がない者であっても、容易に高信頼性システムの構成作成が可能となる。
【図面の簡単な説明】
【図１】本発明の一実施の形態のシステム構成を示すブロック図。
【図２】本システムが提供するウェブページの遷移フローを示す概念図。
【図３】本システムで提供する構成定義画面の模式図。
【図４】単一コンピュータシステム定義画面の模式図。
【図５】システム装置選択画面の模式図。
【図６】システム装置構成入力画面の模式図。
【図７】バックアップ装置選択画面の模式図。
【図８】バックアップ装置構成入力画面の模式図。
【図９】システム装置−バックアップ装置間接続パターンの選択画面の模式図。
【図１０】ディスク装置構成選択画面の模式図。
【図１１】システム装置−ディスク装置間接続パターン選択画面の模式図。
【図１２】２重化コンピュータシステム定義画面の模式図。
【図１３】排他制御装置定義画面の模式図。
【図１４】システム装置−ディスク装置間接続パターン選択画面の模式図。
【図１５】ラック搭載画面の模式図である。
【図１６】ケーブリング接続表示画面の模式図。
【図１７】２重化コンピュータシステムのコンピュータ装置間接続用ハードウェアの設定フロー図。
【図１８】単一コンピュータシステムのコンピュータ装置間接続用ハードウェアの設定フロー図。
【図１９】構成一覧表示画面の模式図。
【符号の説明】
１０　構成定義
１１　単一コンピュータの設定
１２　システム装置の設定
１３　バックアップ装置の設定
１４　ディスク装置の設定
２０　２重化コンピュータシステムの設定
２１　システム装置の設定
２２　バックアップ装置の設定
２３　排他制御装置の設定
２４　ディスク装置の設定
３０　ラック搭載
３１　ケーブリング接続
３２　構成一覧
【図１】
2004139368.tif 000003
【図２】
2004139368.tif 000004
【図３】
2004139368.tif 000005
【図４】
2004139368.tif 000006
【図５】
2004139368.tif 000007
【図６】
2004139368.tif 000008
【図７】
2004139368.tif 000009
【図８】
2004139368.tif 000010
【図９】
2004139368.tif 000011
【図１０】
2004139368.tif 000012
【図１１】
2004139368.tif 000013
【図１２】
2004139368.tif 000014
【図１３】
2004139368.tif 000015
【図１４】
2004139368.tif 000016
【図１５】
2004139368.tif 000017
【図１６】
2004139368.tif 000018
【図１７】
2004139368.tif 000019
【図１８】
2004139368.tif 000020
【図１９】
2004139368.tif 000021